(57)【要約】【課題】基地局装置と、無線装置との間で、重複なく確実かつ円滑に情報を通信できないことを課題とする。【解決手段】少なくとも自ゾーン内にある無線装置ごとに、無線装置に対する所定の情報の通知状況を記憶し、通知状況記憶部によって記憶された通知状況を他の基地局装置に送信し、自ゾーン内での無線装置に対する通知状況および他の基地局装置から受信した通知状況に応じて、通知状況記憶部によって記憶された通知状況を更新し、通知状況記憶部によって記憶された通知状況を参照して、自ゾーン内の無線装置に対して未通知の情報を個別に送信し、通知すべき情報を未だセンター装置から受信していない場合には、情報の配信をセンター装置に要求し、情報を受信した後に自ゾーン内の無線装置に対して送信する。【選択図】        図１
2008236313.tif 000002
【特許請求の範囲】
【請求項１】
通信可能な領域である自ゾーン内にある無線装置に情報を送信する基地局装置であって、
少なくとも前記自ゾーン内にある前記無線装置ごとに、当該無線装置に対する所定の情報の通知状況を記憶する通知状況記憶手段と、
前記通知状況記憶手段によって記憶された通知状況を他の基地局装置に送信する通知状況送信手段と、
前記自ゾーン内での無線装置に対する通知状況および他の基地局装置から受信した通知状況に応じて、前記通知状況記憶手段によって記憶された通知状況を更新する通知状況更新手段と、
前記通知状況記憶手段によって記憶された通知状況を参照して、自ゾーン内の無線装置に対して未通知の情報を個別に送信する個別送信手段と、
を備えたことを特徴とする基地局装置。
【請求項２】
前記個別送信手段は、通知すべき情報を未だセンター装置から受信していない場合には、当該情報の配信をセンター装置に要求し、当該情報を受信した後に前記自ゾーン内の無線装置に対して送信することを特徴とする請求項１に記載の基地局装置。
【請求項３】
前記個別送信手段は、個別通知すべき情報を未だセンター装置から受信しておらず、かつ、当該情報が未通知の情報であって、現に通知要の場合のみ、当該情報をセンター装置に要求し、前記無線装置に送信することを特徴とする請求項１に記載の基地局装置。
【請求項４】
通信可能な領域である自ゾーン内にある無線装置に情報を送信する基地局装置における通信方法であって、
少なくとも前記自ゾーン内にある前記無線装置ごとに、当該無線装置に対する所定の情報の通知状況を記憶する通知状況記憶工程と、
通知状況記憶部に記憶された通知状況を他の基地局装置に送信する通知状況送信工程と、
前記自ゾーン内での無線装置に対する通知状況および他の基地局装置から受信した通知状況に応じて、前記通知状況記憶部に記憶された通知状況を更新する通知状況更新工程と、
前記通知状況記憶部に記憶された通知状況を参照して、自ゾーン内の無線装置に対して未通知の情報を個別に送信する個別送信工程と、
を含んだことを特徴とする基地局装置における通信方法。
【請求項５】
通信可能な領域である自ゾーン内にある無線装置に情報を送信する基地局装置における通信方法をコンピュータに実行させる通信プログラムであって、
少なくとも前記自ゾーン内にある前記無線装置ごとに、当該無線装置に対する所定の情報の通知状況を記憶する通知状況記憶手順と、
通知状況記憶部に記憶された通知状況を他の基地局装置に送信する通知状況送信手順と、
前記自ゾーン内での無線装置に対する通知状況および他の基地局装置から受信した通知状況に応じて、前記通知状況記憶部に記憶された通知状況を更新する通知状況更新手順と、
前記通知状況記憶部に記憶された通知状況を参照して、自ゾーン内の無線装置に対して未通知の情報を個別に送信する個別送信手順と、
をコンピュータに実行させることを特徴とする基地局装置における通信プログラム。
【発明の詳細な説明】
【技術分野】
【０００１】
この発明は、基地局装置、基地局装置における通信方法および基地局装置における通信プログラムに関する。
【背景技術】
【０００２】
従来より、例えば、ＥＴＣ（Electronic Toll Collection System）や携帯電話のセルラーシステムのように、一定の距離ごとに設置されて所定のゾーンを管轄する基地局装置と、複数の基地局装置が管轄するゾーンを移動する無線装置との間で、ＤＳＲＣ方式（Dedicated Short Range Communication）によって狭域通信する通信システムがある。
【０００３】
例えば、特許文献１（特開２００２−２７１２５８号公報）では、基地局装置と、無線装置（車載器）を搭載した車輌との間で、無線通信する通信システムが開示されている。具体的には、所定のゾーンを管轄する基地局装置を介して、一定の距離ごとに設置された複数の基地局装置が管轄するゾーン内を移動する車輌に、各基地局装置に送信指示などを行うセンター装置から情報を送信する。例えば、高速道路のインターチェンジごとや、高速道路の路肩における１００メートルごとに設置された基地局装置を介して、高速道路を移動する車輌に、事故の情報やサービスエリアの案内などの情報を送信する。
【０００４】
【特許文献１】特開２００２−２７１２５８号公報
【発明の開示】
【発明が解決しようとする課題】
【０００５】
ところで、上記した従来の技術は、基地局装置と、無線装置との間で、重複なく確実かつ円滑に情報を通信できないという課題があった。
【０００６】
具体的な例として図１６、図１７および図１８を用いて説明する。図１６、図１７および図１８は、従来技術に係る基地局装置を説明するための図である。すなわち、従来技術に係る基地局装置は、全ての無線装置（車載器）に対して発信する情報である共通情報（例えば、事故の情報）を、センター装置から有線で受信する。そして、基地局装置は、車載器との間で、電波などを用いた無線通信によって、自ゾーン内における全車輌に対して不特定に共通情報を発信する。その際に、基地局装置は、車載器との間で共通情報の応答を通信せず、各車載器における共通情報の通知状況を検知しない（以下において、このような基地局装置が不特定に発信する通信方式を「同報通知」と表す）。
【０００７】
また、従来技術に係る基地局装置は、情報の要求を各車載器から受信すると、その信号に基づいて提供する情報である要求情報（例えば、サービスエリアの情報）について、センター装置に対して要求する。そして、基地局装置は、この情報を受信し、該当する車載器を特定して個別に発信する。その際に、基地局装置は、車載器との間で、要求情報の応答を通信することで、各車載器における要求情報の通知状況を検知する（以下において、このような基地局装置が車載器を特定して通信する通信方式を「個別通知」と表す）。
【０００８】
このような前提の下、センター装置から共通情報を複数の基地局装置に配信し、同報通知する場合、従来技術に係る基地局装置は、共通情報を同じ無線装置に対して繰り返し送信していた。具体的に一例をあげて説明すると、図１６に示すように、複数の基地局装置から「共通情報Ｘ」を同報通知する場合には、各基地局装置（例えば、基地局装置Ａおよび基地局装置Ｂ）は、センター装置から「共通情報Ｘ」を受信する（図１６の（Ａ）における（１）参照）。そして、基地局装置Ａは、基地局装置ＡのゾーンＡにある車載器１に対して「共通情報Ｘ」を同報通知する（図１６の（Ａ）における（２）参照）。その後、車載器１を搭載した車輌が、基地局装置ＢのゾーンＢに移動すると、基地局装置Ｂは、車載器１における共通情報の通知状況を検知せず、基地局装置Ａと同様に車載器１に対して「共通情報Ｘ」を同報通知する（図１６の（Ｂ）における（３）参照）。つまり、車載器１は、「共通情報Ｘ」を繰り返し受信していた。
【０００９】
また、センター装置から共通情報を個々の基地局装置に配信し、同報通知する場合、従来技術に係る基地局装置は、無線装置に共通情報を確実に送信していなかった。具体的に一例をあげて説明すると、図１７に示すように、特定の基地局装置（例えば、基地局装置Ａ）のみから「共通情報Ｘ」を同報通知する場合には、基地局装置Ａは、センター装置から「共通情報Ｘ」を受信し（図１７の（Ａ）における（１）参照）、基地局装置ＡのゾーンＡにある車載器１に対して「共通情報Ｘ」を同報通知する（図１７の（Ａ）における（２）参照）。ここで、電波障害などによって、基地局装置Ａと車載器１との間で「共通情報Ｘ」の通信が遮断された場合には（図１７の（Ａ）における（３）参照）、ゾーンＡからゾーンＢに移動した車載器１に対して、基地局装置Ａは、ゾーンＡに車載器がなく（図１７の（Ｂ）における（４）参照）、基地局装置Ｂは、「共通情報Ｘ」を受信せず（図１７の（Ｂ）における（５）参照）、各基地局装置とも、「共通情報Ｘ」を送信しない。つまり、車載器１は、受信すべき「共通情報Ｘ」を確実に受信することができなかった。
【００１０】
また、要求情報を個別通知する場合、従来技術に係る基地局装置は、情報を要求する旨の信号を個々の基地局装置で受信していた。具体的には、図１８に示すように、基地局装置Ａは、車載器１から「要求情報Ｙ」を要求する旨の信号を受信すると（図１８の（Ａ）における（１）参照）、センター装置に「要求情報Ｙ」を要求し（図１８の（Ａ）における（２）参照）、基地局装置Ａのみが「要求情報Ｙ」を受信する（図１８の（Ａ）における（３）参照）。この間に、車載器１がゾーンＡからゾーンＢに移動した場合には、基地局装置Ａは、ゾーンＡに車載器がなく（図１８の（Ｂ）における（４）参照）、基地局装置Ｂは、「要求情報Ｙ」を受け付けず（図１８の（Ｂ）における（５）参照）、各基地局装置とも、車載器１に対して「要求情報Ｙ」を送信しない。そして、基地局装置Ｂは、再び車載器１から「要求情報Ｙ」を要求する旨の信号を受信する（図１８の（Ｃ）における（６）参照）。つまり、車載器１は、基地局装置Ａと、基地局装置Ｂとに対して、同じ「要求情報Ｙ」を要求する旨の信号を重複して発信していた。
【００１１】
このように、従来技術に係る技術では、基地局装置と、無線装置との間で、重複なく確実かつ円滑に情報を通信できないという課題があった。すなわち、無線装置は、すでに受信済みの情報を繰り返し受信し、情報を確実に受信できず、情報を重複して要求していた。
【００１２】
そこで、この発明は、上述した従来技術の課題を解決するためになされたものであり、無線装置との間で、重複なく確実かつ円滑に情報を通信する基地局装置、基地局装置における通信方法および基地局装置における通信プログラムを提供することを目的とする。
【課題を解決するための手段】
【００１３】
上述した課題を解決し、目的を達成するため、請求項１に係る発明は、通信可能な領域である自ゾーン内にある無線装置に情報を送信する基地局装置であって、少なくとも前記自ゾーン内にある前記無線装置ごとに、当該無線装置に対する所定の情報の通知状況を記憶する通知状況記憶手段と、前記通知状況記憶手段によって記憶された通知状況を他の基地局装置に送信する通知状況送信手段と、前記自ゾーン内での無線装置に対する通知状況および他の基地局装置から受信した通知状況に応じて、前記通知状況記憶手段によって記憶された通知状況を更新する通知状況更新手段と、前記通知状況記憶手段によって記憶された通知状況を参照して、自ゾーン内の無線装置に対して未通知の情報を個別に送信する個別送信手段とを備えたことを特徴とする。
【００１４】
また、請求項２に係る発明は、上記の発明において、前記個別送信手段は、通知すべき情報を未だセンター装置から受信していない場合には、当該情報の配信をセンター装置に要求し、当該情報を受信した後に前記自ゾーン内の無線装置に対して送信することを特徴とする。
【００１５】
また、請求項３に係る発明は、上記の発明において、前記個別送信手段は、個別通知すべき情報を未だセンター装置から受信しておらず、かつ、当該情報が未通知の情報であって、現に通知要の場合のみ、当該情報をセンター装置に要求し、前記無線装置に送信することを特徴とする。
【００１６】
また、請求項４に係る発明は、通信可能な領域である自ゾーン内にある無線装置に情報を送信する基地局装置における通信方法であって、少なくとも前記自ゾーン内にある前記無線装置ごとに、当該無線装置に対する所定の情報の通知状況を記憶する通知状況記憶工程と、通知状況記憶部に記憶された通知状況を他の基地局装置に送信する通知状況送信工程と、前記自ゾーン内での無線装置に対する通知状況および他の基地局装置から受信した通知状況に応じて、前記通知状況記憶部に記憶された通知状況を更新する通知状況更新工程と、前記通知状況記憶部に記憶された通知状況を参照して、自ゾーン内の無線装置に対して未通知の情報を個別に送信する個別送信工程とを含んだことを特徴とする。
【００１７】
また、請求項５に係る発明は、通信可能な領域である自ゾーン内にある無線装置に情報を送信する基地局装置における通信方法をコンピュータに実行させる通信プログラムであって、少なくとも前記自ゾーン内にある前記無線装置ごとに、当該無線装置に対する所定の情報の通知状況を記憶する通知状況記憶手順と、通知状況記憶部に記憶された通知状況を他の基地局装置に送信する通知状況送信手順と、前記自ゾーン内での無線装置に対する通知状況および他の基地局装置から受信した通知状況に応じて、前記通知状況記憶部に記憶された通知状況を更新する通知状況更新手順と、前記通知状況記憶部に記憶された通知状況を参照して、自ゾーン内の無線装置に対して未通知の情報を個別に送信する個別送信手順とをコンピュータに実行させることを特徴とする。
【発明の効果】
【００１８】
請求項１、４、５の発明によれば、少なくとも自ゾーン内にある無線装置ごとに、無線装置に対する所定の情報の通知状況を記憶し、通知状況記憶部によって記憶された通知状況を他の基地局装置に送信し、自ゾーン内での無線装置に対する通知状況および他の基地局装置から受信した通知状況に応じて、通知状況記憶部によって記憶された通知状況を更新し、通知状況記憶部によって記憶された通知状況を参照して、自ゾーン内の無線装置に対して未通知の情報を個別に送信するので、無線装置との間で、重複なく確実かつ円滑に情報を通信することが可能である。
【００１９】
また、請求項２の発明によれば、通知すべき情報を未だセンター装置から受信していない場合には、情報の配信をセンター装置に要求し、情報を受信した後に自ゾーン内の無線装置に対して送信するので、他の基地局装置のゾーンを通過する際に通信漏れした情報を確実に無線装置に送信することが可能である。
【００２０】
また、請求項３の発明によれば、個別通知すべき情報を未だセンター装置から受信しておらず、かつ、情報が未通知の情報であって、現に通知要の場合のみ、情報をセンター装置に要求し、無線装置に送信するので、他の基地局装置のゾーンを通過する際に通信漏れした情報であっても、現に通知不要の情報であればセンター装置に要求せず、無線装置にとって必要な情報のみを送信することが可能である。
【発明を実施するための最良の形態】
【００２１】
以下に添付図面を参照して、この発明に係る基地局装置、基地局装置における通信方法および基地局装置における通信プログラムの実施例を詳細に説明する。なお、以下では、基地局装置（高速道路におけるＥＴＣのゲートや路肩の電波局）にこの発明を適用し、車両に搭載した無線装置である車載器に対して情報を送信する場合を実施例として説明する。
【実施例１】
【００２２】
以下の実施例１では、実施例１で用いる主要な用語、実施例１に係る基地局装置の概要および特徴、基地局装置の構成、基地局装置の処理の流れを順に説明し、最後に実施例１の効果を説明する。
【００２３】
［実施例１で用いる主要な用語］
まず最初に、実施例１で用いる主要な用語を説明する。実施例１で用いる「共通情報」とは、全ての車載器に対して発信する情報のことである。具体的には、センター装置から全部または一部の基地局装置に配信され、基地局装置が管轄するゾーン内にある全ての車載器に発信する情報である。例えば、高速道路における事故の情報や交通渋滞の情報などがこれに該当する。
【００２４】
また、実施例１で用いる「要求情報」とは、各車載器から要求された情報のことである。具体的には、車載器が個別に要求する情報であり、情報を要求する信号に基づいて基地局装置がセンター装置に要求し、センター装置から受け付け、ゾーン内にある該当する車載器に発信する情報である。例えば、高速道路におけるサービスエリアの情報や、地域情報などがこれに該当する。
【００２５】
また、実施例１で用いる「個別通知」とは、基地局装置が車載器を特定して通信する通信方式である。具体的には、センター装置から受け付けた情報を、車載器の通知状況に基づいて個別に発信するとともに、車載器から受信した旨の応答を受け付ける通信方式である。例えば、事故の情報やサービスエリアの情報を該当する車載器に対して個別に送信する通信方式がこれに該当する。
【００２６】
［実施例１に係る基地局装置の概要および特徴］
次に、図１、図２および図３を用いて、実施例１に係る基地局装置の概要および特徴を説明する。図１、図２および図３は、実施例１に係る基地局装置の概要および特徴を説明するための図である。
【００２７】
図１、図２および図３に示すように、実施例１に係る基地局装置は、センター装置との間で有線通信し、基地局装置が管轄するゾーン内にある車載器との間で電波などを用いて無線通信し、情報を車載器に対して通知することを概要とし、車載器との間で、重複なく確実かつ円滑に情報を通信することを主たる特徴とする。
【００２８】
この主たる特徴について説明すると、実施例１に係る基地局装置は、少なくとも自ゾーン内にある無線装置ごとに、無線装置に対する所定の情報の通知状況を記憶する。具体的には、実施例１に係る基地局装置は、自ゾーン内にある車載器のＩＤ（例えば、車載器１の車載器ＩＤである「０１」）と、送信すべき情報（例えば、「共通情報Ｘ」）と、この情報の通知状況（例えば、「未通知」）とを対応付けてなるエントリを通知状況記憶部に記憶する（例えば、図６など参照）。
【００２９】
また、実施例１に係る基地局装置は、通知状況記憶部に記憶された通知状況を他の基地局装置に送信する。具体的には、実施例１に係る基地局装置は、通知状況記憶部に記憶された自ゾーン内にある無線装置のＩＤ（例えば、「０１」）と、送信すべき情報（例えば、「共通情報Ｘ」）と、この情報の通知状況（例えば、「未通知」）とを他の基地局装置に送信する。
【００３０】
また、実施例１に係る基地局装置は、自ゾーン内での無線装置に対する通知状況および他の基地局装置から受信した通知状況に応じて、通知状況記憶部によって記憶された通知状況を更新する。具体的に一例をあげて説明すると、実施例１に係る基地局装置は、自ゾーン内にある車載器１に「共通情報Ｘ」を発信し、車載器１から「共通情報Ｘ」の応答を受信すると、通知状況記憶部における「０１」かつ「共通情報Ｘ」を含むエントリの通知状況を「未通知」から「通知済み」に更新する。また、実施例１に係る基地局装置は、他の基地局装置から「０１」かつ「共通情報Ｘ」を含むエントリを「未通知」から「通知済み」に更新する信号を受け付けると、通知状況記憶部における「０１」かつ「共通情報Ｘ」を含むエントリを「未通知」から「通知済み」に更新する。
【００３１】
そして、実施例１に係る基地局装置は、通知状況記憶部によって記憶された通知状況を参照して、自ゾーン内の無線装置に対して未通知の情報を個別に送信する。具体的には、実施例１に係る基地局装置は、通知状況記憶部において通知状況が「未通知」であるエントリを参照し、該当する車載器に対応した情報を個別送信する。例えば、車載器１に対して「共通情報Ｘ」が未通知であった場合、実施例１に係る基地局装置は、通知状況記憶部における「０１」かつ「共通情報Ｘ」を含むエントリが「未通知」であることを参照して、車載器１に対して「共通情報Ｘ」を個別に送信し、車載器１から「共通情報Ｘ」を受信した旨の応答を受信する。
【００３２】
このようなことから、実施例１に係る基地局装置は、上記した主たる特徴のごとく、車載器との間で、重複なく確実かつ円滑に情報を通信することが可能である。
【００３３】
すなわち、図１に示すように、センター装置から共通情報を複数の基地局装置に配信し、個別通知する場合、実施例１に係る無線装置は、車載器との間で、すでに通知済みである共通情報の送信を行わない。具体的に一例をあげて説明すると、複数の基地局装置から「共通情報Ｘ」を個別通知する場合には、各基地局装置（基地局装置Ａおよび基地局装置Ｂ）は、センター装置から「共通情報Ｘ」を受信する（図１の（Ａ）における（１）参照）。そして、基地局装置Ａは、基地局装置Ａが管轄するゾーン内（図１の例では、ゾーンＡ）にある車載器１に対して「共通情報Ｘ」を個別に送信し（図１の（Ａ）における（２）参照）、車載器１から「共通情報Ｘ」の応答を受信する（図１の（Ａ）における（３）参照）。さらに、基地局装置Ａは、基地局装置Ｂに対して車載器１における「共通情報Ｘ」の通知状況を送信する。例えば、「０１」かつ「共通情報Ｘ」を含むエントリが「通知済み」である信号を送信する（図１の（Ａ）における（４）参照）。
【００３４】
その後、車載器１がゾーンＢに移動すると、基地局装置Ｂは、車載器１が「共通情報Ｘ」を受信済みの信号を受信することで、車載器１に対して「共通情報Ｘ」の送信を行わない（図１の（Ａ）における（５）参照）。その結果、車載器１は、すでに受信済みの情報を繰り返し受信しない。
【００３５】
また、図２に示すように、センター装置から共通情報を個々の基地局装置に配信し、個別通知する場合、実施例１に係る基地局装置は、無線装置へ共通情報を確実に送信する。具体的に一例をあげて説明すると、実施例１に係る基地局装置は、特定の基地局装置（例えば、基地局装置Ａ）のみから「共通情報Ｘ」を個別通知する場合には、基地局装置Ａは、センター装置からゾーンＡ用の「共通情報Ｘ」を受信し（図２の（Ａ）における（１）参照）、基地局装置Ａが管轄するゾーン内にある車載器１に対して「共通情報Ｘ」を個別に送信する（図２の（Ａ）における（２）参照）。
【００３６】
ここで、電波障害などによって基地局装置Ａと、車載器１との間で「共通情報Ｘ」の通信が遮断された場合には（図２の（Ａ）における（３）参照）、基地局装置Ｂは、基地局装置Ａから車載器１の通知状況を受信する。例えば、基地局装置Ｂは、「０１」かつ「共通情報Ｘ」を含むエントリが「未通知」である信号を受信する（図２の（Ｂ）における（４）参照）。その結果、基地局装置Ｂは、ゾーンＡからゾーンＢに移動した車載器１に対して、「共通情報Ｘ」が未通知であることを検知し、センター装置に「共通情報Ｘ」要求し（図２の（Ｂ）における（５）参照）、センター装置から「共通情報Ｘ」を受信する（図２の（Ｂ）における（６）参照）。そして、基地局装置Ｂは、車載器１に対して、「共通情報Ｘ」を個別通知する（図２の（Ｂ）における（７）参照）。その結果、車載器１は、受信すべき「共通情報Ｘ」を確実に受信することができる。
【００３７】
また、図３に示すように、要求情報を個別通知する場合、実施例１に係る基地局装置は、要求情報を他の基地局装置を介して送信する。具体的に一例をあげて説明すると、実施例１に係る基地局装置は、車載器１から「要求情報Ｙ」の要求を受信すると（図３の（Ａ）における（１）参照）、センター装置に対して「要求情報Ｙ」について要求し（図３の（Ａ）における（２）参照）、基地局装置Ａのみ「要求情報Ｙ」を受信する（図３の（Ａ）における（３）参照）。
【００３８】
この間に、車載器１がゾーンＡからゾーンＢに移動した場合には、基地局装置Ｂは、基地局装置Ａから車載器１の通知状況を受信する。例えば、基地局装置Ｂは、「０１」かつ「要求情報Ｙ」を含むエントリが「未通知」である信号を受信する（図３の（Ｂ）における（４）参照）。その結果、基地局装置Ｂは、車載器１から「要求情報Ｙ」を要求する旨の信号を受信することなく、車載器１に対して「要求情報Ｙ」の通知漏れを検知し、センター装置に「要求情報Ｙ」を要求し（図３の（Ｂ）における（５）参照）、センター装置から「要求情報Ｙ」を受信する（図３の（Ａ）における（６）参照）。そして、基地局装置Ｂは、車載器１に対して、「要求情報Ｙ」を個別通知する（図３の（Ｂ）における（７）参照）。その結果、車載器１は、基地局装置Ａに対して要求し、受信漏れした「要求情報Ｙ」を、基地局装置Ｂに対して要求せずに受信することができる。
【００３９】
このように、実施例１に係る基地局装置は、無線装置との間で、重複なく確実かつ円滑に情報を通信することが可能である。すなわち、無線装置は、すでに受信済みの情報を繰り返し受信することなく、情報を確実に受信でき、受信漏れの情報を他の基地局装置を介して受信することが可能である。
【００４０】
［実施例１に係る基地局装置の構成］
次に、図４を用いて、図１、図２および図３に示した基地局装置の構成を説明する。図４は、実施例１に係る基地局装置の構成を示すブロック図である。同図に示すように、この基地局装置１０は、無線通信部１１と、有線通信部１２と、処理部１３と、記憶部１４とを備える。
【００４１】
このうち、無線通信部１１は、自ゾーン内にある無線装置との間で無線通信する。具体的には、無線通信部１１は、例えば、無線アンテナに相当し、自ゾーン内にある車載器に情報を送信し、車載器から情報の応答を受信する。
【００４２】
また、有線通信部１２は、他の基地局装置およびセンター装置との間で有線通信する。具体的には、有線通信部１２は、例えば、複数の出入力ポートに相当し、他の基地局装置との間で、無線装置における情報の通知状況を送受信する。また、有線通信部１２は、センター装置との間で共通情報および要求情報を送受信する。
【００４３】
記憶部１４は、処理部１３による各種処理に必要なデータなどを記憶する。そして、本発明に密接に関連するものとしては、図４に示すように、送信データ記憶部３１と、通知状況記憶部３２とを備える。なお、通知状況記憶部３２は特許請求の範囲に記載の「通知状況記憶手段」に対応する。
【００４４】
送信データ記憶部３１は、データの処理を効率よく行うために一時的に使用するメモリであり、具体的には、車載器に対して送信する情報を（例えば、「共通情報Ｘ」など）を記憶する。
【００４５】
通知状況記憶部３２は、少なくとも自ゾーン内にある無線装置ごとに、無線装置に対する所定の情報の通知状況を記憶する。具体的には、通知状況記憶部３２は、自ゾーン内にある車載器の情報である車載器テーブルと、全基地局装置のゾーン内にある車載器の情報である共有情報テーブルとを記憶する。そして、両テーブルとも、車載器ＩＤ（例えば、「０１」）と、通知すべき情報である情報（例えば、「共通情報Ｘ」）と、情報の通知状況である通知状況（例えば、「未通知」）とを対応付けた複数のエントリを記憶し、後述の通知状況更新部２２によって更新される。
【００４６】
処理部１３は、各種処理手順を規定したプログラムや制御データを格納するための内部メモリを有し、これらによって種々の処理を実行する。そして、特に本発明に密接に関連するものとしては、受信データ解析部２１と、通知状況更新部２２と、個別送信部２３と、通知状況送信部２４とを備える。なお、通知状況更新部２２は、特許請求の範囲に記載の「通知状況更新手段」に対応し、個別送信部２３は、特許請求の範囲に記載の「個別送信手段」に対応し、通知状況送信部２４は、特許請求の範囲に記載の「通知状況送信手段」に対応する。
【００４７】
受信データ解析部２１は、受信したデータを解析する。具体的には、受信データ解析部２１は、無線通信部１１を介して車載器から受信した要求情報の要求や、情報の応答を受信する。また、受信データ解析部２１は、有線情報通信部１２を介して他の基地局装置から通知状況記憶部３２の変更内容を受信する。また、受信データ解析部２１は、有線通信部１２を介して、センター装置から受信する。なお、受信データ解析部２１における処理の詳細は後に詳細に説明する。
【００４８】
通知状況更新部２２は、自ゾーン内での無線装置に対する通知状況および他の基地局装置から受信した通知状況に応じて、通知状況記憶部３２によって記憶された通知状況を更新する。具体的には、通知状況更新部２２は、自ゾーンにある車載器に送信すべき情報の通知状態または、他の基地局から受信した通知状況記憶部３２の変更内容に応じて、通知状況記憶部３２を更新する。なお、通知状況更新部２２における処理の詳細は後に詳細に説明する。
【００４９】
個別送信部２３は、通知状況記憶部３２によって記憶された通知状況を参照して、自ゾーン内の無線装置に対して未通知の情報を個別に送信する。具体的には、個別送信部２３は、通知状況記憶部３２によって記憶された通知状況を参照しつつ、該当する車載器に対して未通知の情報を、無線通信部１１を介して個別に通知する。また、個別送信部２３は、有線通信部１２を介して、センター装置に未通知の情報を要求する。なお、個別送信部２３における処理の詳細は後に詳細に説明する。
【００５０】
通知状況送信部２４は、通知状況記憶部３２によって記憶された通知状況を他の基地局装置に送信する。具体的には、通知状況送信部２４は、通知状況記憶部３２に記憶された通知状況が通知状況更新部２２によって更新された際に、通知状況記憶部３２の変更内容を他の基地局装置に有線通信部１２を介して送信する。なお、通知状況送信部２４における処理の詳細は後に詳細に説明する。
【００５１】
[実施例１に係る基地局装置による処理]
次に、図５〜図１４を用いて、実施例１における基地局装置の処理の流れを説明する。具体的には、車載器が自ゾーンに侵入したときの処理と、通知状況記憶部の変更内容を受信したときの処理と、通知状況記憶部の変更内容を受信したときの処理と、要求情報の要求を受信したときの処理と、個別送信するときの処理とを順に説明する。
【００５２】
まず最初に、図５および図６を用いて、実施例１に係る基地局装置の車載器が自ゾーンに侵入したときの処理の流れを説明する。図５は、実施例１に係る基地局装置による車載器が自ゾーンに侵入したときの処理の流れを示すフローチャートであり、図６は、車載器が自ゾーンに侵入したときの実施例１に係る通知状況更新部による処理を説明するための図である。
【００５３】
図５に示すように、基地局装置１０は、自ゾーン内の全車載器に対して車載器を特定するための信号を、無線通信部１１を介して発信する。そして、基地局装置のゾーン内に侵入し、この信号を受信した車載器から車載器ＩＤを受け付けると（ステップＳ１０１肯定）、通知状況記憶部３２における該当する車載器の情報を検索する（ステップＳ１０２）。具体的には、実施例１に係る基地局装置１０は、受信データ解析部２１において車載器ＩＤ（例えば、「０１」）を受け付け、通知状況更新部２２は、通知状況記憶部３２の共有テーブルにおける該当する車載器ＩＤを含むエントリを検索する。
【００５４】
ここで、通知状況記憶部３２に該当する車載器の情報がある場合（ステップＳ１０２肯定）、通知状況更新部２２は、該当する車載器の情報を通知状況記憶部３２における共有テーブルから読み込み、通知状況記憶部３２における車載器テーブルへ書き込み（ステップＳ１０３）、基地局装置１０は、車載器が自ゾーンに侵入したときの処理（ステップＳ１０１〜ステップＳ１０８）を終了して、再び他の車載器からの車載器ＩＤの受信を待機する（ステップＳ１０１）。具体的に一例をあげて説明すると、共有テーブルに該当する車載器ＩＤ（例えば、「０１」）がある場合（図６の（Ａ）参照）、つまり、例えば、車載器が他の基地局装置のゾーン内から自ゾーン内に侵入した場合、通知状況更新部２２は、車載器ＩＤ（例えば、「０１」）と、情報（例えば、「共通情報Ｘ」）と、通知状況（例えば、「共通情報Ｘ」が「未通知」であるなど）とを共有テーブルから読み込み、車載器テーブルへ書き込む（図６の（Ｂ）参照）。
【００５５】
一方、通知状況記憶部３２に該当する車載器の情報がない場合（ステップＳ１０２否定）、通知状況更新部２２は、通知状況記憶部３２における共有テーブルおよび車載器テーブルに車載器ＩＤを書き込む（ステップＳ１０４）。具体的に一例をあげて説明すると、共有テーブルに該当する車載器ＩＤ（例えば、「０１」）がない場合（図６の（Ｃ）参照）、つまり、例えば、車載器が全基地局装置のゾーン外から侵入した場合、通知状況更新部２２は、通知状況記憶部３２における共有テーブルおよび車載器テーブルに車載器ＩＤ（例えば、「０１」）を書き込み、新たなるエントリを生成する（図６の（Ｄ）参照）。
【００５６】
続いて、通知状況送信部２４は、共有テーブルの変更内容を他の基地局装置に送信する（ステップＳ１０５）。具体的には、通知状況記憶部３２における共有テーブルに、新たなるエントリ（例えば、「０１」を含むエントリ）が生成されると、通知状況送信部２４は、他の基地局装置に対して、車載器ＩＤ（例えば、「０１」）を送信する。
【００５７】
続いて、通知状況更新部２２は、送信データ記憶部３１における通知すべき情報を検索する（ステップＳ１０６）。具体的には、通知状況更新部２２は、すでに送信データ記憶部３１に記憶され、かつ、基地局装置のゾーン内に侵入した車載器（例えば、車載器１）に対して通知すべき情報（例えば、「共通情報Ｘ」など）を検索する。
【００５８】
ここで、通知すべき情報が送信データ記憶部３１にない場合（ステップＳ１０６否定）、基地局装置１０は、車載器が自ゾーンに侵入したときの処理（ステップＳ１０１〜ステップＳ１０８）を終了して、再び他の車載器からの車載器ＩＤの受信を待機する（ステップＳ１０１）。
【００５９】
一方、通知すべき情報が送信データ記憶部３１にある場合（ステップＳ１０６肯定）、通知状況更新部２２は、通知状況記憶部３２における共有テーブルおよび車載器テーブルに、通知すべき情報の情報名と、通知状況とを書き込む（ステップＳ１０７）。具体的に一例をあげて説明すると、基地局装置のゾーン内に侵入した車載器（例えば、車載器１）に対して通知すべき情報（例えば、「共通情報Ｘ」）が送信データ記憶部３１にある場合、通知状況更新部２２は、共有テーブルおよび車載器テーブルにおける「０１」を含むエントリに、情報名「共通情報Ｘ」と、通知状況「未通知」とを書き込む（図６の（Ｅ）参照）。
【００６０】
続いて、通知状況送信部２４は、共有テーブルの変更内容を他の基地局装置に送信し（ステップＳ１０８）、基地局装置１０は、車載器が自ゾーンに侵入したときの処理（ステップＳ１０１〜ステップＳ１０８）を終了して、再び他の車載器からの車載器ＩＤの受信を待機する（ステップＳ１０１）。具体的には、通知状況記憶部３２における共有テーブルに、情報名「共通情報Ｘ」と、通知状況「未通知」とが書き込まれると、通知状況送信部２４は、他の基地局装置に対して、車載器ＩＤ「０１」と、情報名「共通情報Ｘ」と、この「共通情報Ｘ」に対する通知状況である「未通知」とを送信する。
【００６１】
次に、図７および図８を用いて、実施例１に係る基地局装置の共通情報を受信したときの処理の流れについて説明する。図７は、実施例１に係る基地局装置による共通情報を受信したときの処理の流れを示すフローチャートであり、図８は、共通情報を受信したときの実施例１に係る通知状況更新部による処理を説明するための図である。
【００６２】
図７に示すように、基地局装置１０は、新たな共通情報をセンター装置から受け付けると（ステップＳ２０１肯定）、この共通情報を送信データ記憶部３１に書き込み（ステップＳ２０２）、車載器テーブルにおいて車載器ＩＤを検索する（ステップＳ２０３）。具体的には、受信データ解析部２１は、センター装置から新たな共通情報（例えば、「共通情報Ｘ」）を受け付けると、情報を送信データ記憶部３１に書き込み、通知状況更新部２２は、通知状況記憶部３２における車載器テーブルから車載器ＩＤ（例えば、「０１」）を検索し、この車載器ＩＤ（「０１」）を含むエントリがあるか否かを判定する。
【００６３】
ここで、車載器テーブルにおいて車載器ＩＤがない場合（ステップＳ２０３否定）、基地局装置１０は、共通情報を受信したときの処理を終了し（ステップＳ２０１〜ステップＳ２０５）、再びセンター装置からの共通情報の受信を待機する（ステップＳ２０１）。具体的には、通知状況更新部２２において、通知状況記憶部３２における車載器テーブルから車載器ＩＤ（例えば、「０１」）を検索し、エントリがないと判定した場合、つまり、例えば、自ゾーン内に車載器がない場合、基地局装置１０は、共通情報を受信したときの処理を終了する。
【００６４】
一方、車載器テーブルにおいて車載器ＩＤがある場合（ステップＳ２０３肯定）通知状況更新部２２は、共有テーブルおよび車載器テーブルにおいて、該当する車載器ＩＤに対応したエントリに、新たな共通情報の情報名と、通知状況とを書き込む（ステップＳ２０４）。具体的に一例をあげて説明すると、車載器テーブルにおいて車載器ＩＤ「０１」がある場合（図８の（Ａ）参照）、つまり、例えば、自ゾーン内に車載器１がある場合、通知状況更新部２２は、車載器ＩＤ［０１］に対応したエントリに、新たな共通情報の情報名（例えば、「共通情報Ｘ」）を書き込み、この情報名に対応する通知状況に「未通知」を書き込む（図８の（Ｂ）参照）。
【００６５】
続いて、通知状況送信部２４は、共有テーブルの変更内容を他の基地局装置に送信し（ステップＳ２０５）、基地局装置１０は、センター装置から新たな共通情報を受け付けたときの処理を終了し（ステップＳ２０１〜ステップＳ２０５）、再びセンター装置からの共通情報の受信を待機する（ステップＳ２０１）。具体的には、通知状況記憶部３２における共有テーブルにおいて、情報名「共通情報Ｘ」と、「未通知」とが書き込まれた場合、通知状況送信部２４は、他の基地局装置に対して、車載器ＩＤ（例えば、［０１］）と、「共通情報Ｘ」と、「未通知」とを送信する。
【００６６】
次に、図９および図１０を用いて、実施例１に係る基地局装置の通知状況記憶部の変更内容を受信したときの処理の流れについて説明する。図９は、実施例１に係る基地局装置による通知状況記憶部の変更内容を受信したときの処理の流れを示すフローチャートであり、図１０は、通知状況記憶部の変更内容を受信したときの実施例１に係る通知状況更新部による処理を説明するための図である。
【００６７】
図９に示すように、基地局装置１０は、他の基地局装置から共通情報テーブルの変更を受け付けると（ステップＳ３０１肯定）、共有テーブルを更新し（ステップＳ３０２）、車載器テーブルにおいて同じ車載器ＩＤを含むエントリを検索する（ステップＳ３０３）。具体的に一例をあげて説明すると、受信データ解析部２１が他の基地局装置から車載器ＩＤ（例えば、［０１］）と、「共通情報Ｘ」と、「通知済み」とを対応付けた情報を受け付けると（図１０の（Ａ）参照）、通知状況更新部２２は、共有テーブルにおける「０１」と、「共通情報Ｘ」とを含むエントリの通知状況を（図１０の（Ｂ）参照）「未通知」から「通知済み」に更新し（図１０の（Ｃ）参照）、車載器テーブルにおいて「０１」を含むエントリがあるか否かを判定する。
【００６８】
ここで、同じ車載器ＩＤを持つエントリがない場合（ステップＳ３０３否定）、基地局装置１０は、他の基地局装置から通知状況記憶部の変更内容を受信したときの処理（ステップＳ３０１〜ステップＳ３０４）を終了して、再び他の基地局装置からの共通情報テーブルの変更を待機する（ステップＳ３０１）。具体的には、同じ車載器ＩＤを持つエントリがない場合、つまり、例えば、車載器が他の基地局装置のゾーンから他の基地局装置のゾーンに移動し、自基地局装置の車載器テーブルを更新せず、自基地局装置の共有テーブルのみ更新する場合、基地局装置１０は、他の基地局装置から通知状況記憶部の変更内容を受信したときの処理を終了する。
【００６９】
一方、同じ車載器ＩＤを持つエントリがある場合（ステップＳ３０３肯定）、通知状況更新部２２は、車載器テーブルにおける同じ車載器ＩＤを持つエントリを消去し（ステップＳ３０４）、基地局装置１０は、他の基地局装置から共通情報テーブルの変更を受信したときの処理（ステップＳ３０１〜ステップＳ３０４）を終了して、再び他の基地局装置からの共通情報テーブルの変更の受信を待機する（ステップＳ３０１）。具体的に一例をあげて説明すると、共有テーブルにおける内容を変更したエントリが車載器ＩＤ「０１」を含み、かつ、車載器テーブルに車載器ＩＤ「０１」を含むエントリがある場合（図１０の（Ｃ）参照）、つまり、例えば、車載器１が自ゾーンから他の基地局装置のゾーンに移動した場合、車載器テーブルにおける車載器ＩＤ「０１」を含むエントリを消去する（図１０の（Ｄ）参照）。
【００７０】
次に、図１１および図１２を用いて、実施例１に係る基地局装置の要求情報の要求を受信したときの処理の流れについて説明する。図１１は、実施例１に係る基地局装置による要求情報の要求を受信したときの処理の流れを示すフローチャートであり、図１２は、要求情報の要求を受信したときの実施例１に係る通知状況更新部による処理を説明するための図である。
【００７１】
図１１に示すように、基地局装置１０は、車載器から要求情報の要求を受け付けると（ステップＳ４０１肯定）、共有テーブルおよび車載器テーブルに情報名と通知状況とを書き込む（ステップＳ４０２）。具体的に一例をあげて説明すると、受信データ解析部２１が車載器１から「要求情報Ｙ」の要求を受け付けると、通知状況更新部２２は、共有テーブルおよび車載器テーブルにおける車載器ＩＤ「０１」を含むエントリに（図１２の（Ａ）参照）、情報名「要求情報Ｙ」と、通知状況「未通知」とを書き込む（図１２の（Ｂ）参照）。
【００７２】
続いて、通知状況送信部２４は、共有テーブルの変更内容を他の基地局装置に送信し（ステップＳ４０３）、基地局装置１０は、要求情報の要求を受信したときの処理を終了し（ステップＳ４０１〜ステップＳ４０３）、再び車載器からの要求情報の要求を待機する（ステップＳ４０１）。具体的に一例をあげて説明すると、通知状況記憶部３２における共有テーブルにおいて「要求情報Ｙ」と、この情報名に対する通知状況である「未通知」とが書き込まれた場合、通知状況送信部２４は、他の基地局装置に対して、車載器ＩＤ「０１」と、情報名「要求情報Ｙ」と、この「要求情報Ｙ」に対する通知状況である「未通知」とを送信する。
【００７３】
次に、図１３および図１４を用いて、実施例１に係る基地局装置の個別送信するときの処理の流れについて説明する。図１３は、実施例１に係る基地局装置による個別送信するときの処理の流れを示すフローチャートであり、図１４は、個別送信するときの実施例１に係る通知状況更新部による処理を説明するための図である。
【００７４】
図１３に示すように、基地局装置１０は、車載器テーブルにおいて未通知の情報があると（ステップＳ５０１肯定）、送信データ記憶部３１を検索する（ステップＳ５０２）。具体的に一例をあげて説明すると、個別送信部２３は、車載器テーブルを監視し、車載器テーブルにおいて「未通知」を含むエントリ（例えば、「０１」と、「共通情報Ｘ」と、「未通知」とを含むエントリ、図１４の（Ａ）参照）があると、送信データ記憶部３１を検索し、この情報（「共通情報Ｘ」）があるか否かを判定する。
【００７５】
ここで、送信データ記憶部３１に未通知の情報がある場合（ステップＳ５０２肯定）、個別送信部２３は、送信データ記憶部３１から未通知の情報を読み込み、未通知の情報を送信する（ステップＳ５０６）。具体的に一例をあげて説明すると、送信データ記憶部３１に「共通情報Ｘ」がすでに書き込まれ、かつ、自ゾーン内に侵入した車載器１に対して「共通情報Ｘ」が未通知である場合、個別送信部２３は、通知状況記憶部３２を参照しつつ、送信データ記憶部３１から「共通情報Ｘ」を読み込み、車載器１のみに対して「共通情報Ｘ」を送信する。
【００７６】
一方、送信データ記憶部３１に未通知の情報がない場合（ステップＳ５０２否定）、個別送信部２３は、センター装置に対して未通知の情報を要求する（ステップＳ５０３）。具体的に一例をあげて説明すると、自ゾーン内に侵入した車載器１に対して「共通情報Ｘ」が未通知であり、送信データ記憶部３１に「共通情報Ｘ」が書き込まれてない場合、個別送信部２３は、センター装置に対して「共通情報Ｘ」を要求する。
【００７７】
続いて、受信データ解析部２１は、センター装置から未通知の情報を受け付け（ステップＳ５０４）、未通知の情報を送信データ記憶部３１に書き込む（ステップＳ５０５）。具体的に一例をあげて説明すると、受信データ解析部２１は、センター装置から「共通情報Ｘ」を受け付けると、「共通情報Ｘ」を送信データ記憶部３１に書き込む。
【００７８】
続いて、個別送信部２３は、送信データ記憶部３１から未通知の情報を読み込み、未通知の情報を送信する（ステップＳ５０６）。具体的に一例をあげて説明すると、個別送信部２３は、通知状況記憶部３２を参照しつつ、送信データ記憶部３１から「共通情報Ｘ」を読み込み、「共通情報Ｘ」を受信してない車載器（例えば、車載器１）に対して送信する。
【００７９】
ここで、上記の処理（ステップＳ５０１〜ステップＳ５０６）を終えた後に、車載器から応答がある場合（ステップＳ５０７肯定）、通知状況更新部２２は、共有テーブルおよび車載器テーブルにおける未通知の情報の通知状況を「通知済み」に更新する（ステップＳ５０８）。具体的に一例をあげて説明すると、車載器１に対して「共通情報Ｘ」を送信した後に、受信データ解析部２１において車載器１から「共通情報Ｘ」に対する応答を受け付けた場合、通知状況更新部２２は、共有テーブルおよび車載器テーブルにおける車載器ＩＤ「０１」と、「共通情報Ｘ」とを含むエントリの通知状況を「未通知」から「通知済み」に更新する（図１４の（Ａ）および図１４の（Ｂ）参照）。
【００８０】
続いて、通知状況送信部２４は、共有テーブルの変更内容を他の基地局装置に送信し（ステップＳ５０９）、基地局装置１０は、個別送信するときの処理を終了し（ステップＳ５０１〜ステップＳ５１０）、再び車載器テーブルを監視する（ステップＳ５０１）。具体的に一例をあげて説明すると、通知状況記憶部３２における共有テーブルにおいて車載器ＩＤ「０１」と、「共通情報Ｘ」とを含むエントリの通知状況を「未通知」から「通知済み」に更新された場合、通知状況送信部２４は、他の基地局装置に対して、車載器ＩＤ「０１」と、情報名「共通情報Ｘ」と、この「共通情報Ｘ」に対する通知状況である「通知済み」とを送信する。
【００８１】
一方、上記の処理（ステップＳ５０１〜ステップＳ５０６）を終えた後に、車載器から応答がない場合（ステップＳ５０７否定）、通知状況更新部２２は、車載器テーブルにおける未通知の情報の通知状況を「通知ＮＧ」に更新し（ステップＳ５１０）、基地局装置１０は、個別送信するときの処理を終了し（ステップＳ５０１〜ステップＳ５１０）、再び車載器テーブルを監視する（ステップＳ５０１）。具体的に一例をあげて説明すると、車載器１に対して「共通情報Ｘ」を送信し、一定時間（例えば、１分）が経過した後に、車載器１から「共通情報Ｘ」の応答がない場合、通知状況更新部２２は、車載器テーブルにおける車載器ＩＤ「０１］と、「共通情報Ｘ」とを含むエントリの通知状況を「未通知」から「通知ＮＧ」に更新する（（図１４の（Ａ）および図１４の（Ｃ）参照）。
【００８２】
このように、実施例１における基地局装置１０は、車載器が自ゾーンに侵入したときと、共通情報を受信したときと、通知状況記憶部の変更内容を受信したときと、要求情報の要求を受信したときと、個別送信するときとに応じて、少なくとも自ゾーン内にある無線装置ごとに、無線装置に対する所定の情報の通知状況を記憶し、通知状況記憶部によって記憶された通知状況を他の基地局装置に送信し、自ゾーン内での無線装置に対する通知状況および他の基地局装置から受信した通知状況に応じて、通知状況記憶部によって記憶された通知状況を更新し、通知状況記憶部によって記憶された通知状況を参照して、自ゾーン内の無線装置に対して未通知の情報を個別に送信する。
【００８３】
すなわち、基地局装置１０は、自ゾーン内の車載器の通知状況に応じて通知状況更新部２２によって通知状況記憶部３２を更新し、通知状況記憶部３２を参照しつつ個別送信部２３によって情報を個別送信する。また、基地局装置１０は、通知状況記憶部３２の変更内容を通知状況送信部２４によって他の基地局装置に送信し、他の基地局装置との間で車載器の通知状況を共有する。
【００８４】
［実施例１の効果］
上記したように、実施例１によれば、少なくとも自ゾーン内にある無線装置ごとに、無線装置に対する所定の情報の通知状況を記憶し、通知状況記憶部によって記憶された通知状況を他の基地局装置に送信し、自ゾーン内での無線装置に対する通知状況および他の基地局装置から受信した通知状況に応じて、通知状況記憶部によって記憶された通知状況を更新し、通知状況記憶部によって記憶された通知状況を参照して、自ゾーン内の無線装置に対して未通知の情報を個別に送信するので、無線装置との間で、重複なく確実かつ円滑に情報を通信することが可能である。すなわち、無線装置は、すでに受信済みの情報を繰り返し受信することなく、情報を確実に受信でき、受信漏れの情報を他の基地局装置を介して受信することが可能である。
【００８５】
また、実施例１によれば、通知すべき情報を未だセンター装置から受信していない場合には、情報の配信をセンター装置に要求し、情報を受信した後に自ゾーン内の無線装置に対して送信するので、他の基地局装置のゾーンを通過する際に通信漏れした情報を確実に無線装置に送信することが可能である。
【実施例２】
【００８６】
さて、これまで本発明の実施例について説明したが、本発明は上述した実施例以外にも、種々の異なる形態にて実施されてよいものである。そこで、以下では実施例２として、他の実施例を説明する。
【００８７】
例えば、実施例１では、車両に搭載した無線装置である車載器に対して情報を送信する場合を説明したが、本発明はこれに限定されるものではなく、携帯電話やＰＨＳ（Personal Handyphone System）などの無線装置に対して情報を送信する場合であっても、本発明を同様に適用することができる。
【００８８】
また、実施例１では、通知すべき情報を未だセンター装置から受信していない場合には、情報の配信をセンター装置に要求し、情報を受信した後に自ゾーン内の無線装置に対して送信する場合を説明したが、本発明はこれに限定されるものではなく、未通知の情報であって、現に通知要の場合のみ情報をセンター装置に要求し、無線装置に送信してもよい。すなわち、車載器にとって未受信の情報があり、この情報が車載器にとって不要な情報（例えば、すでに解消された渋滞状況や通過した地域の地域情報など）である場合、この情報の送信をしなくてもよい。
【００８９】
また、実施例１では、通知状況記憶部が更新されるごとに変更内容を他の基地局装置に送信する場合を説明したが、本発明はこれに限定されるものではなく、通知状況記憶部に記憶された情報を一括して（例えば、更新された車載器ＩＤ「０１」に係る情報と、未更新の車載器ＩＤ「０２」に係る情報とを一括して）送信するようにしてもよい。
【００９０】
また、実施例１では、通知状況記憶部が更新されるごとに変更内容を他の基地局装置に送信する場合を説明したが、本発明はこれに限定されるものではなく、一定時間ごとに（例えば、５分間ごと）送信するようにしてもよい。
【００９１】
また、実施例１では、一定時間が経過した後に通知状況を「通知ＮＧ」に変更する場合を説明したが、本発明はこれに限定されるものではなく、同じ情報の通信を複数回（例えば、３回）試みた後に通知状況を「通知ＮＧ」に変更するようにしてもよい。
【００９２】
また、実施例１では、共有テーブルにおいて他の基地局装置のゾーン内にある車載器に対する所定の情報の通知状況も記憶する場合を説明したが、本発明はこれに限定されるものではなく、自ゾーン内にある車載器のみに対する所定の情報の通知状況を記憶するようにしてもよい。すなわち、共有テーブルにおいて自ゾーン内の車載器ＩＤにフラグを立てるなど、自ゾーン内にある車載器を区別しつつ、通知状況を記憶することや、自ゾーン内にある車載器の通知状況のみを記憶し、自ゾーン内に侵入した車載器の通知状況を他の基地局装置に要求するなど、自ゾーン内の車載器の情報の受信状況のみを記憶しつつ、他の基地局装置と車載器の情報を共有するようにしてもよい。
【００９３】
また、実施例１では、個別送信するときであって、未通知の情報が送信データ記憶部にないときに、個別送信部が、センター装置に対して未通知の情報を要求し、受信データ解析部が、未通知の情報を受信し、送信データ記憶部に書き込む場合を説明したが（図１３におけるステップＳ５０２〜ステップＳ５０５参照）、本発明はこれに限定されるものではなく、個別送信部が、独自にセンター装置に対して未通知の情報を要求するようにしてもよい。すなわち、例えば、個別送信部は、車載器テーブルと送信データ記憶部を付き合わせ、未通知の情報を検索するようにしてもよい。具体的に例をあげると、車載器テーブルと、送信データ記憶部とを付き合わせた後に、個別送信してもよいし、車載器が自ゾーンに侵入したときなどの処理と同様に、別の処理として行ってもよい。
【００９４】
（システム構成等）
また、実施例１において上記文書中や図面中で示した処理手順、制御手順、具体的名称、各種のデータやパラメータを含む情報（例えば、図６、図８、図１０、図１２または図１４に示した記憶情報など）については、特記する場合を除いて任意に変更することができる。
【００９５】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる（例えば、図４において、受信データ解析部を通知状況更新部に統合するなどできる）。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【００９６】
（基地局装置における通信プログラム）
ところで、上記の実施例では、ハードウェアロジックによって各種の処理を実現する場合を説明したが、本発明はこれに限定されるものではなく、あらかじめ用意されたプログラムをコンピュータで実行することによって実現するようにしてもよい。そこで、以下では、図１５を用いて、上記の実施例に示した基地局装置と同様の機能を有する基地局装置における通信プログラムを実行するコンピュータの一例を説明する。図１５は、基地局装置における通信プログラムを実行するコンピュータを示す図である。
【００９７】
同図に示すように、基地局装置としてのコンピュータ１１０は、キーボード１２０、ＨＤＤ１３０、ＣＰＵ１４０、ＲＯＭ１５０、ＲＡＭ１６０およびディスプレイ１７０をバス１８０などで接続して構成される。
【００９８】
ＲＯＭ１５０には、上記の実施例１に示した基地局装置１０と同様の機能を発揮する基地局装置における通信プログラム、つまり、図１５に示すように受信データ解析プログラム１５０ａと、通知状況更新プログラム１５０ｂと、個別送信プログラム１５０ｃと、通知状況送信プログラム１５０ｄとが、あらかじめ記憶されている。なお、これらのプログラム１５０ａ〜プログラム１５０ｄについては、図４に示した基地局装置の各構成要素と同様、適宜統合または、分散してもよい。
【００９９】
そして、ＣＰＵ１４０がこれらのプログラム１５０ａ〜プログラム１５０ｄをＲＯＭ１５０から読み出して実行することで、図１５に示すように、プログラム１５０ａ〜プログラム１５０ｄは、受信データ解析プロセス１４０ａと、通知状況更新プロセス１４０ｂと、個別送信プロセス１４０ｃと、通知状況送信プロセス１４０ｄとして機能するようになる。なお、プロセス１４０ａ〜プロセス１４０ｄは、図４に示した受信データ解析部２１と、通知状況更新部２２と、個別送信部２３と、通知状況送信部２４とにそれぞれ対応する。
【０１００】
そして、ＣＰＵ１４０はＲＡＭ１６０に記録された送信データ１６０ａと、通信状況データ１６０ｂとに基づいて基地局装置における通信プログラムを実行する。
【０１０１】
なお、上記した各プログラム１５０ａ〜プログラム１５０ｄについては、必ずしも最初からＲＯＭ１５０に記憶させておく必要はなく、例えば、コンピュータ１１０に挿入されるフレキシブルディスク（ＦＤ）、ＣＤ−ＲＯＭ、ＤＶＤディスク、光磁気ディスク、ＩＣカードなどの「可搬用の物理媒体」、またはコンピュータ１１０の内外に備えられるＨＤＤなどの「固定用の物理媒体」、さらには公衆回線、インターネット、ＬＡＮ、ＷＡＮなどを介してコンピュータ１１０に接続される「他のコンピュータ（またはサーバ）」などに各プログラムを記憶させておき、コンピュータ１１０がこれから各プログラムを読み出して実行するようにしてもよい。
【産業上の利用可能性】
【０１０２】
以上のように、本発明に係る基地局装置、基地局装置における通信方法および基地局装置における通信プログラムは、通信可能な領域である自ゾーン内にある無線装置に情報を送信することに有用であり、特に、無線装置との間で、重複なく確実かつ円滑に情報を通信することに適する。
【図面の簡単な説明】
【０１０３】
【図１】実施例１に係る基地局装置の概要および特徴を説明するための図である。
【図２】実施例１に係る基地局装置の概要および特徴を説明するための図である。
【図３】実施例１に係る基地局装置の概要および特徴を説明するための図である。
【図４】実施例１に係る基地局装置の構成を示すブロック図である。
【図５】実施例１に係る基地局装置による車載器が自ゾーンに侵入したときの処理の流れを示すフローチャートである。
【図６】車載器が自ゾーンに侵入したときの実施例１に係る通知状況更新部による処理を説明するための図である。
【図７】実施例１に係る基地局装置による共通情報を受信したときの処理の流れを示すフローチャートである。
【図８】共通情報を受信したときの実施例１に係る通知状況更新部による処理を説明するための図である。
【図９】実施例１に係る基地局装置による通知状況記憶部の変更内容を受信したときの処理の流れを示すフローチャートである。
【図１０】通知状況記憶部の変更内容を受信したときの実施例１に係る通知状況更新部による処理を説明するための図である。
【図１１】実施例１に係る基地局装置による要求情報の要求を受信したときの処理の流れを示すフローチャートである。
【図１２】要求情報の要求を受信したときの実施例１に係る通知状況更新部による処理を説明するための図である。
【図１３】実施例１に係る基地局装置による個別送信するときの処理の流れを示すフローチャートである。
【図１４】個別送信するときの実施例１に係る通知状況更新部による処理を説明するための図である。
【図１５】基地局装置における通信プログラムを実行するコンピュータを示す図である。
【図１６】従来技術に係る基地局装置を説明するための図である。
【図１７】従来技術に係る基地局装置を説明するための図である。
【図１８】従来技術に係る基地局装置を説明するための図である。
【符号の説明】
【０１０４】
１０  基地局装置
１１  無線通信部
１２  有線通信部
１３  処理部
１４  記憶部
２１  受信データ解析部
２２  通知状況更新部
２３  個別送信部
２４  通知状況送信部
３１  送信データ記憶部
３２  通知状況記憶部
【図１】
2008236313.tif 000003
【図２】
2008236313.tif 000004
【図３】
2008236313.tif 000005
【図４】
2008236313.tif 000006
【図５】
2008236313.tif 000007
【図６】
2008236313.tif 000008
【図７】
2008236313.tif 000009
【図８】
2008236313.tif 000010
【図９】
2008236313.tif 000011
【図１０】
2008236313.tif 000012
【図１１】
2008236313.tif 000013
【図１２】
2008236313.tif 000014
【図１３】
2008236313.tif 000015
【図１４】
2008236313.tif 000016
【図１５】
2008236313.tif 000017
【図１６】
2008236313.tif 000018
【図１７】
2008236313.tif 000019
【図１８】
2008236313.tif 000020